(57)【特許請求の範囲】
【請求項１】
衣類を掛ける本体ハンガーと、この本体ハンガーを内設した人体の上半身形状とした通気性を有する人体袋と、人体袋に温風を送り込むヒータ及びファンと、前記人体袋を収納できかつ水を収容することができる収納加水ボックスと、収納加水ボックスに供給する水を収容する水タンクとを備えた衣類仕上げ装置。
【請求項２】
衣類を掛ける本体ハンガーと、この本体ハンガーを内設した人体の上半身形状とした通気性を有する人体袋と、人体袋に温風を送り込むヒータ及びファンと、前記人体袋を収納できかつ水を収容することができる収納加水ボックスと、収納加水ボックスに供給する水を収容する水タンクと、衣類全体を覆う衣類カバーとを備えた衣類仕上げ装置。
【請求項３】
人体袋は高吸水性材料で構成した請求項１または２に記載した衣類仕上げ装置。
【請求項４】
人体袋は部分によって吸水性に差を有する請求項１から３のいずれか１項に記載した衣類仕上げ装置。
【発明の詳細な説明】
【０００１】
【発明の属する技術分野】
本発明は、家庭で衣類のケアに使用する衣類仕上げ装置に関するものである。
【０００２】
【従来の技術】
従来の衣類仕上げ装置を図７を用いて説明する。乾燥するための濡れた衣類１をハンガー３に引っかけて吊るし、全体を衣類ケース４で覆っておいて、温風ヒータ装置２から温風を供給して衣類１を乾燥するものである。衣類ケース４は、ナイロンシート等のカバーで構成しており、全面に備えたファスナーを開閉することでケースとして機能するものである。
【０００３】
【発明が解決しようとする課題】
従来の衣類仕上げ装置は、衣類をしわを除去したり、衣類に付いた臭いを除去するという衣類ケア機能はなく、また、後処理としてアイロンがけをしなければならないという課題を有しているものである。
【０００４】
【課題を解決するための手段】
本発明は、加湿した人体袋に衣類を被せ、ヒータとファンを駆動して衣類に蒸気を与え、人体袋を膨張させることによって衣類に機械力を与えながら衣類をケアできる衣類仕上げ装置としている。
【０００５】
【発明の実施の形態】
請求項１に記載した発明は、本体ハンガー下部に設けた収納加水ボックスによって加湿した人体袋上にケアする衣類を掛け、ヒータとファンによって温風を送風して蒸気を衣類の内側から外側に通過させ、温風の圧力によって人体袋が膨張することを利用して、衣類を加圧しながら衣類ケアが出来る衣類仕上げ装置としている。
【０００６】
請求項２に記載した発明は、衣類カバーによって衣類全体を覆うことによって、乾燥時の蒸気が周囲に排気されないようにして、効果的な衣類ケアが出来る衣類仕上げ装置としている。
【０００７】
請求項３に記載した発明は、高吸水性材料を使用した人体袋によって衣類により多くの水分を含ませることが出来、衣類に効率よく蒸気が当たり効果的な衣類ケアが出来る衣類仕上げ装置としている。
【０００８】
請求項４に記載した発明は、しわが発生しやすい部分に相当する人体袋を高吸水性材料として、省エネルギータイプの衣類仕上げ装置としている。
【０００９】
【実施例】
以下、本発明の実施例について説明する。図１は本実施例の全体構成を示す断面図、図２は人体袋の構成を示す斜視図、図３は収納加水ボックスの構成を示す斜視図である。また、図４はこの実施例装置を使用して衣類をケアしている状態を示す正面図である。５はケアするための衣類２１を掛ける本体ハンガーで樹脂等によって形成しており、図２に示しているように人体の肩に適合した形状の膨らみを有している。衣類２１は、図２に示している人体袋６の表面に掛けられている。つまり、左右の袖部は人体袋６が有している左右の袖部を通すように掛けられているものである。本実施例の装置のケアの対象としている衣類２１は、例えばカッターシャツ・ブラウス・セーター・ベスト・背広・ブルゾン・学生服等があり、本体ハンガー５及び人体袋６にセットできるものすべてである。人体袋６は、通気性を有するナイロン等の繊維状の布によって、人体の上半身の形状を模した形状となっているものである。また人体袋６の、肩部には前記本体ハンガー５を内設している。本体ハンガー５の上部にはフック７を設けており、図４に示しているように衣類を吊すためのポールハンガー８に掛けるようになっている。フック７は、剛性のある樹脂あるいは金属によって形成している。
【００１０】
本体ハンガー５の下部には、ねじ１７によって、ファン１８・ヒータ１９・水タンク２０等の部品を収容している本体ケース１６を固定している。また本体ケース１６は、ファン１８が本体ハンガー５に設けた図示していない吸気口から吸気した機外の空気を、人体袋６の胴体部や袖部へ供給する吸気経路９と、吸気経路９に接続している空気吹出口１０・１１・１２・１３と、水タンク２０に収容している水を本体ケース１６の下部に供給する通水路１５を備えている。また吸気経路９の途中には、ファン１８が送風した空気を加熱するヒータ１９を配置している。水タンク２０は透明な樹脂等によって構成しており、本体ハンガー５に着脱可能となっている。また水タンク２０の下部は、通水路１５に向かって突出したノズルとなっている。通水路１５は、ゴム等の柔軟性を有する弾性体によって形成している。
【００１１】
吸気経路９は左右に分岐しており、右側の経路は人体袋６および衣類の右側に空気を送風する右胴体管２２と、人体袋６および衣類２１の右側の袖に空気を送風する右袖口管２３となっている。左側の経路は、同様に左胴体管２４と左袖口管２５となっており、右胴体管２２・右袖口管２３と、左胴体管２４・左袖口管２５とは本体ハンガー５から見て略対称となっている。 前記空気吹出口１０は、右胴体管２２の端部に、空気吹出口１１は右袖口管２３の端部に、空気吹出口１２は左胴体管２４の端部に、空気吹出口１３は左袖口管２５の端部にそれぞれ設けている。
【００１２】
通水路１５の下部には、つまり本体ハンガー５の下部には、図３に示しているように、本体ケース１６を内包し、水タンク２０の水を通水路１５を介して受ける収納加水ボックス１４を配置している。収納加水ボックス１４は、樹脂等によって断面がほぼ楕円形に形成しており、本体ハンガー５に着脱自在となっている。また収納加水ボックス１４の底部には、前記人体袋６の下部が折り畳まれて収納されている。つまり、人体袋６は常時は下部が収納加水ボックス１４内に収容されているものである。
【００１３】
以下、本実施例の動作について説明する。水タンク２０に水を収容して本体ハンガー５に掛けると、水タンク２０の水は通水路１５から収納加水ボックス１４内の人体袋６に供給される。こうして加湿または加水された人体袋６を収納加水ボックス１４から取り出して拡げ、この上にケアする衣類２１をセットする。このとき人体袋６の袖部を衣類２１の袖内に入れる。この状態で図示していないスイッチを押すと、ヒータ１９とファン１８とが動作を開始する。つまり吸気経路９から人体袋６内に温風が供給され、人体袋６が加熱されるものである。このため、人体袋６に含まれている水分や人体袋６から直接衣類２１に転写された水分が蒸発するものである。またファン１３が送風した温風は、人体袋６が通気性を有しているため、人体袋６を通過して衣類２１に供給され、衣類２１を内側から外側に向かって通過する。従って衣類２１は均一に加熱され、衣類２１の繊維は水分を吸収して膨潤する。また人体袋６は、送風される温風の圧力によって膨張する。人体袋６は前記したように人体を模した形状としているため、この上にセットされている衣類２１は内側から外側に向かってほぼ全体に均一に加圧されるものである。
【００１４】
こうして衣類２１は機械力を受け、処理前にあったしわは除去される。また、送風される温風によって人体袋６が有していた水分が蒸気となって衣類２１の繊維に供給され繊維が膨潤するため、衣類２１の風合いも回復するものである。更に衣類２１に付着している臭気成分は、高温の蒸気及び熱風が送風されることによって、水分と共に共沸して衣類２１から除去されることになる。
【００１５】
またこのとき、前記水タンク２０を使用しないで使用すると、本実施例の装置は衣類２１を乾燥する作用のみを有するものとなる。この場合も、人体袋６上に衣類２１をセットしているため、衣類２１は人体袋６からの膨張力を受けながら乾燥されるものである。つまり、前記同様、人体袋６はファン１８が送風する温風によって膨潤するものであり、従って人体袋６上にセットされている衣類２１は人体袋６からの膨張力を受けながらケアされるものである。このため、衣類１６が縮みやすい材質のものであっても縮みを生ずることなくケアできるものである。また同様に型崩れしやすい衣類２１であっても、形崩れを生ずることなくケアできるものである。さらに、近年市場でよく見かける形状記憶シャツ等は、プリーツを損なうことなくケア時のしわが全く付かずにケアできるために、ケア後はアイロンがけ無しでも着用することができる。
【００１６】
また本実施例の装置は、人体袋６を加水せず、ヒータ１９を切り、ファン１８のみを運転して、冷風による乾燥を行うこともできる。このため、例えば衣類２１が絹やアクリルのような熱に弱い繊維で構成されている場合には、初期は温風でケアし、後に冷風に切り換えてケアすることが適切な使い方となるものである。こうして衣類２１を常温に冷却することによって、しわを伸ばした状態を定着させることも可能である。
【００１７】
このとき、図５に示しているように、衣類２１の全体を覆う衣類カバー２６を使用する構成とすれば、衣類２１に供給している蒸気が自由に外部に逃げることが無くなり、効率を高めることが出来るものである。つまり衣類カバー２６は、衣類２１を人体袋６にセットして使用するときに、衣類２１の上から被せて使用するものである。衣類カバー２６の材質については特に限定しないものであるが、通気性があまりないような例えばナイロン・ビニール等が適当である。
【００１８】
また、人体袋６として高吸水性材料、例えば、綿やアクリル等の化繊を使用すると、短時間で効率よく衣類２１をケアすることができる衣類仕上げ装置を実現できるものである。つまり、水タンク２０から供給した水によって収納加水ボックス１４内の人体袋６を加水する場合に、人体袋６の吸水量が増加するものである。従って、衣類２１に対して多量の水蒸気を供給でき、短時間で効率よく衣類２１をケアすることが出来るものである。
【００１９】
またこのとき、図６に示しているように、人体袋６の材質を部位に応じて変えて、吸水性に差を持たせるようにすると、省エネルギータイプの衣類仕上げ装置を実現できるものである。つまり、衣類２１のしわの付きやすい部分、例えば、座りじわができる背中の部分や、着じわがよくできる肘の部分に対応する人体袋６の部位に高吸水性材料を使用し、他の部位には低吸水性材料を使用するようにしているものである。こうすることによって、衣類２１に加水する全体の水分量を減少でき、水分の蒸発に使用するエネルギーは減少するものである。つまり、省エネルギータイプの衣類仕上げ装置を実現できるものである。
【００２０】
【発明の効果】
請求項１に記載した発明は、衣類を掛ける本体ハンガーと、この本体ハンガーを内設した人体の上半身形状とした通気性を有する人体袋と、人体袋に温風を送り込むヒータ及びファンと、前記人体袋を収納できかつ水を収容することができる収納加水ボックスと、収納加水ボックスに供給する水を収容する水タンクとを備えた構成として、衣類に付着したしわを伸ばしながら衣類のケアが出来る衣類仕上げ装置を実現できるものである。
【００２１】
請求項２に記載した発明は、衣類を掛ける本体ハンガーと、この本体ハンガーを内設した人体の上半身形状とした通気性を有する人体袋と、人体袋に温風を送り込むヒータ及びファンと、前記人体袋を収納できかつ水を収容することができる収納加水ボックスと、収納加水ボックスに供給する水を収容する水タンクと、衣類全体を覆う衣類カバーとを備えた構成として、効果的な衣類ケアが出来る衣類仕上げ装置を実現するものである。
【００２２】
請求項３に記載した発明は、人体袋を高吸水性材料で構成することによって、衣類に効率よく蒸気が当たり効果的な衣類ケアが出来る衣類仕上げ装置を実現するものである。
【００２３】
請求項４に記載した発明は、人体袋は部分によって吸水性に差を有する構成として、省エネルギータイプの衣類仕上げ装置を実現できるものである。
【図面の簡単な説明】
【図１】本発明の実施例である衣類仕上げ装置の構成を示す断面図
【図２】同、人体袋の構成を説明する斜視図
【図３】同、収納加水ボックスの構成を示す斜視図
【図４】同、衣類をセットした状態を説明する正面図
【図５】同、衣類をセットした上から衣類カバーを被せた状態を説明する正面図
【図６】同、部位によって吸水性を変えた人体袋を説明する斜視図
【図７】従来例である衣類仕上げ装置を示す斜視図
【符号の説明】
５  本体ハンガー
６  人体袋
１４  収納加水ボックス
１８  ファン
１９  ヒータ
２６  衣類カバー
【図１】
0003744101.tif 000002
【図２】
0003744101.tif 000003
【図３】
0003744101.tif 000004
【図４】
0003744101.tif 000005
【図５】
0003744101.tif 000006
【図６】
0003744101.tif 000007
【図７】
0003744101.tif 000008